(57)【要約】【課題】海苔網を酸処理する際の活性処理剤の使用量が増加することを抑制できる海苔網の酸処理装置及び酸処理船を提供する。【解決手段】海苔網を収容し、収容した海苔網を酸液で酸処理する海苔網収容槽。前記海苔網収容槽の一方の側の上部に、前記海苔網収容槽内に向かって移動している前記海苔網から前記海苔網が含んでいる水分（海水）を除去し、除去した前記水分（海水）が前記海苔網収容槽内に入らないようにする水分除去手段が配備されている、あるいは、前記海苔網収容槽の他方の側の上部に、前記海苔網収容槽から出てきた前記酸処理を受けた前記海苔網から前記海苔網が含んでいる水分（酸液）を除去し、除去した前記水分（酸液）を前記海苔網収容槽内に戻すようにする水分除去手段が配備されている、あるいは、これら双方の水分除去手段が配備されている構成からなる海苔網の酸処理装置。前記海苔網酸処理装置を備えている酸処理船。【選択図】図３
2018201476.tif 000002
【特許請求の範囲】
【請求項１】
海苔網を収容し、収容した前記海苔網を酸液で酸処理する海苔網収容槽と、
前記海苔網収容槽の長手方向における一方の端部の上端及び他方の端部の上端にそれぞれ前記長手方向に直交して回転自在に配備されていて、前記海苔網が含んでいる水分を前記海苔網から吸い取る第一吸液ローラ及び第二吸液ローラと、
前記第一吸液ローラ及び第二吸液ローラの下側で、周面をそれぞれ前記第一吸液ローラ及び第二吸液ローラの周面に当接させて回転自在に配備されている第一絞りローラ及び第二絞りローラと、
前記海苔網収容槽内の下側で、前記長手方向において前記一方の端部に近い側に前記長手方向に直交して回転自在に配備されている第一海苔網巻取ローラと、
前記海苔網収容槽内の下側で、前記長手方向において前記他方の端部に近い側に前記長手方向に直交して回転自在に配備されている第二海苔網巻取ローラと、
前記海苔網収容槽の前記長手方向における前記第一海苔網巻取ローラが配備されている位置と前記第二海苔網巻取ローラが配備されている位置との中間で、前記海苔網収容槽の上部側に前記長手方向に直交して回転自在に配備されている第三吸液ローラと
を備える海苔網の酸処理装置。
【請求項２】
前記第一吸液ローラ、前記第二吸液ローラ、前記第三吸液ローラは、多孔質素材からなる請求項１記載の海苔網の酸処理装置。
【請求項３】
海苔網が海中に展張されている海を移動しながら前記海苔網を掬い上げ、掬い上げた前記海苔網を船上に配備されている酸処理装置で酸処理する海苔網の酸処理船であって、
前記酸処理装置が請求項１又は２記載の海苔網の酸処理装置である
海苔網酸処理船。
【請求項４】
海中に展張されている海苔網の長手方向に進行し、前記海苔網を掬い上げ、前記掬い上げた海苔網を船上に配備されている酸処理装置で酸処理する海苔網の酸処理船であって、
前記酸処理装置は、前記海苔網を収容し、収容した前記海苔網を酸液で酸処理する海苔網収容槽を備えており、
前記酸処理船が進行する方向において前記海苔網収容槽の前方側に配備されている、前記海苔網から前記海苔網が含んでいる水分を除去する第一水分除去手段と、
前記酸処理船が進行する方向において前記海苔網収容槽の後方側に配備されている、前記海苔網から前記海苔網が含んでいる水分を除去する第二水分除去手段と
の中のいずれか一方または双方を備えている
海苔網酸処理船。
【請求項５】
前記第一水分除去手段と、前記第二水分除去手段とは、
前記酸処理船が進行する方向に直交して前記酸処理船の上部に回転自在に配備されていて、前記海苔網が含んでいる水分を前記海苔網から吸い取る吸液ローラと、当該吸液ローラの下側で、周面を当該吸液ローラの周面に当接させて回転自在に配備されている絞りローラとを備えている水分除去手段、または、
前記酸処理船の上部に配備されていて前記海苔網に向けて空気を吹き付けて前記海苔網が含んでいる水分を除去する空気噴出装置からなる水分除去手段、
のいずれか、あるいは、これらの中のいずれかの組み合わせからなる
請求項４記載の海苔網酸処理船。
【請求項６】
前記吸液ローラは多孔質素材からなる請求項５記載の海苔網酸処理船。
【発明の詳細な説明】
【技術分野】
【０００１】
この発明は、海苔網の酸処理装置及び酸処理船に関する。
【背景技術】
【０００２】
海苔の養殖において、海苔網や海苔網に繁殖している海苔に付着する珪藻や汚れを除去するために海苔網を酸処理する作業が行われている。
【０００３】
海苔網を酸処理する方法として例えば、特許文献１、２に提案されている方法が知られている。
【０００４】
特許文献１には、船上に酸処理槽からなる酸処理機構を設置し、海中に展張されている海苔網を一旦船上に引き揚げて、酸処理槽中を通過させながら所定時間浸漬させ、再び海面部に展張する方法が開示されている。
【０００５】
特許文献２には、海苔作業船を海苔網の下に潜るようにして進行させて海苔網を掬い上げ、船上に設置されている海苔網薬剤処理装置の薬剤処理槽内を通過させながら所定時間浸漬させ、再び海面部に展張する方法が開示されている。
【０００６】
これらの酸処理に用いられる海苔の活性処理剤は所定のｐＨとなるように制御される。
【先行技術文献】
【特許文献】
【０００７】
【特許文献１】特開平５−２３０６６号公報
【特許文献２】特開平８−１４０５１１号公報
【発明の概要】
【発明が解決しようとする課題】
【０００８】
海苔網に繁殖している海苔の状態や品質によって、海苔網を酸処理する際の海苔の活性処理剤の酸の倍率やｐＨは異なる。
【０００９】
上述した従来の酸処理方法において、酸処理を行う前では海苔網に付着している海水によって処理槽内の海苔の活性処理剤が希釈され、酸処理を行った後では、海苔網に海苔の活性処理剤が付着するので処理槽内の海苔の活性処理剤の量が減少する。
【００１０】
そのため、従来の酸処理方法では、海苔の活性処理剤の酸の倍率やｐＨを所定値に保つため、及び処理槽内の海苔の活性処理剤の量を所定量に保つため、海苔の活性剤の使用量が増加することとなっていた。
【００１１】
この発明は、海苔網を酸処理する際の活性処理剤の使用量が増加することを抑制できる海苔網の酸処理装置及び酸処理船を提供することを目的とする。
【課題を解決するための手段】
【００１２】
［１］
海苔網を収容し、収容した前記海苔網を酸液で酸処理する海苔網収容槽と、
前記海苔網収容槽の長手方向における一方の端部の上端及び他方の端部の上端にそれぞれ前記長手方向に直交して回転自在に配備されていて、前記海苔網が含んでいる水分を前記海苔網から吸い取る第一吸液ローラ及び第二吸液ローラと、
前記第一吸液ローラ及び第二吸液ローラの下側で、周面をそれぞれ前記第一吸液ローラ及び第二吸液ローラの周面に当接させて回転自在に配備されている第一絞りローラ及び第二絞りローラと、
前記海苔網収容槽内の下側で、前記長手方向において前記一方の端部に近い側に前記長手方向に直交して回転自在に配備されている第一海苔網巻取ローラと、
前記海苔網収容槽内の下側で、前記長手方向において前記他方の端部に近い側に前記長手方向に直交して回転自在に配備されている第二海苔網巻取ローラと、
前記海苔網収容槽の前記長手方向における前記第一海苔網巻取ローラが配備されている位置と前記第二海苔網巻取ローラが配備されている位置との中間で、前記海苔網収容槽の上部側に前記長手方向に直交して回転自在に配備されている第三吸液ローラと
を備える海苔網の酸処理装置。
【００１３】
［２］
前記第一吸液ローラ、前記第二吸液ローラ、前記第三吸液ローラは、多孔質素材からなる［１］の海苔網の酸処理装置。
【００１４】
［３］
海苔網が海中に展張されている海を移動しながら前記海苔網を掬い上げ、掬い上げた前記海苔網を船上に配備されている酸処理装置で酸処理する海苔網の酸処理船であって、
前記酸処理装置が［１］又は［２］の海苔網の酸処理装置である
海苔網酸処理船。
【００１５】
［４］
海中に展張されている海苔網の長手方向に進行し、前記海苔網を掬い上げ、前記掬い上げた海苔網を船上に配備されている酸処理装置で酸処理する海苔網の酸処理船であって、
前記酸処理装置は、前記海苔網を収容し、収容した前記海苔網を酸液で酸処理する海苔網収容槽を備えており、
前記酸処理船が進行する方向において前記海苔網収容槽の前方側に配備されている、前記海苔網から前記海苔網が含んでいる水分を除去する第一水分除去手段と、
前記酸処理船が進行する方向において前記海苔網収容槽の後方側に配備されている、前記海苔網から前記海苔網が含んでいる水分を除去する第二水分除去手段と
の中のいずれか一方または双方を備えている
海苔網酸処理船。
【００１６】
［５］
前記第一水分除去手段と、前記第二水分除去手段とは、
前記酸処理船が進行する方向に直交して前記酸処理船の上部に回転自在に配備されていて、前記海苔網が含んでいる水分を前記海苔網から吸い取る吸液ローラと、当該吸液ローラの下側で、周面を当該吸液ローラの周面に当接させて回転自在に配備されている絞りローラとを備えている水分除去手段、または、
前記酸処理船の上部に配備されていて前記海苔網に向けて空気を吹き付けて前記海苔網が含んでいる水分を除去する空気噴出装置からなる水分除去手段、
のいずれか、あるいは、これらの中のいずれかの組み合わせからなる
［４］の海苔網酸処理船。
【００１７】
［６］
前記吸液ローラは多孔質素材からなる［５］の海苔網酸処理船。
【発明の効果】
【００１８】
この発明によれば、海苔網を酸処理する際の活性処理剤の使用量が増加することを抑制できる海苔網の酸処理装置及び酸処理船を提供することができる。
【図面の簡単な説明】
【００１９】
【図１】本発明の海苔網酸処理装置の概略構成を表す斜視図。
【図２】本発明の海苔網酸処理装置の概略構成を表す側面断面図。
【図３】（ａ）本発明の海苔網酸処理装置によって海苔網の酸処理を行うにあたり、酸処理を受ける海苔網が海苔網収容槽内に巻き取られる状態の一例を説明する一部を省略した側面断面図、（ｂ）酸処理を受けた海苔網が海苔網収容槽から引き出されていく状態の一例を説明する一部を省略した側面断面図。
【図４】（ａ）本発明の海苔網酸処理船の一例の概略構成を表す側面図、（ｂ）海苔網を酸処理している状態の一例を説明する図。
【図５】本発明の海苔網酸処理船の他の例の概略構成を表す側面図。
【図６】本発明の海苔網酸処理船の他の例の概略構成を表す側面図。
【図７】（ａ）本発明の海苔網酸処理船の他の例の概略構成を表す側面図、（ｂ）海苔網を酸処理している状態の一例を説明する図。
【図８】（ａ）本発明の海苔網酸処理船の他の例の概略構成を表す側面図、（ｂ）海苔網を酸処理している状態の一例を説明する図。
【図９】本発明の海苔網酸処理船の他の例の概略構成を表す側面図。
【図１０】本発明の海苔網酸処理船の他の例の概略構成を表す側面図。
【発明を実施するための形態】
【００２０】
この実施形態の海苔網酸処理装置は、
海苔網を収容し、収容した海苔網を酸液で酸処理する海苔網収容槽の一方の側の上部に、前記海苔網収容槽内に向かって移動している前記海苔網から前記海苔網が含んでいる水分（海水）を除去し、除去した前記水分（海水）が前記海苔網収容槽内に入らないようにする水分除去手段が配備されている、あるいは、
海苔網を収容し、収容した海苔網を酸液で酸処理する海苔網収容槽の他方の側の上部に、前記海苔網収容槽から出てきた前記酸処理を受けた前記海苔網から前記海苔網が含んでいる水分（酸液）を除去し、除去した前記水分（酸液）を前記海苔網収容槽内に戻すようにする水分除去手段が配備されている、あるいは、
これら双方の水分除去手段が配備されている構成からなり、これによって、海苔網を酸処理する際の活性処理剤の使用量が増加することを抑制するものである。
【００２１】
また、前記海苔網酸処理装置を備えている酸処理船としたものである。
【００２２】
以下、添付図面を参照してこの発明の実施形態を説明する。
【００２３】
［海苔網の酸処理装置］
本発明の海苔網酸処理装置の実施形態の一例を図１〜図３を参照して説明する。
【００２４】
本実施形態の海苔網酸処理装置１は、海苔網収容槽２と、第一吸液ローラ３と、第二吸液ローラ４と、第一絞りローラ５と、第二絞りローラ６と、第一海苔網巻取ローラ７と、第二海苔網巻取ローラ８と第三吸液ローラ９とを備えている。
【００２５】
海苔網収容槽２は図１図示のように上側が開口している箱型である。海苔網を酸処理する作業を行う際には、活性処理剤が溶解されている酸液がこの海苔網収容槽２に投入される。海苔網を酸処理する作業を行う際に、海中に展張されていた海苔網１４が引き揚げられて海苔網収容槽２に収容され（図３）、海苔網収容槽２内において海苔網１４を酸液で酸処理する。
【００２６】
第一吸液ローラ３は、海苔網収容槽２の長手方向における一方の端部２ａ（図２の右側の端部）の上端に、前記長手方向に直交して、図２に矢印１５で示す方向及びその反対方向に回転自在に配備されている。
【００２７】
第一絞りローラ５は、図１、図２図示のように、第一吸液ローラ３の下側で、周面を第一吸液ローラ３の周面に当接させて、図２に矢印１６で示す方向及びその反対方向に回転自在に配備されている。
【００２８】
第二吸液ローラ４は、海苔網収容槽２の長手方向における他方の端部２ｂ（図２の左側の端部）の上端に、前記長手方向に直交して、図２に矢印２１で示す方向及びその反対方向に回転自在に配備されている。
【００２９】
第二絞りローラ６は、図１、図２図示のように、第二吸液ローラ４の下側で、周面を第二吸液ローラ４の周面に当接させて、図２に矢印２０で示す方向及びその反対方向に回転自在に配備されている。
【００３０】
第一海苔網巻取ローラ７は、図１、図２図示のように、海苔網収容槽２内の下側で、前記長手方向における一方の端部２ａに近い側に、前記長手方向に直交して、図２に矢印１８ａ、１８ｂで示す方向に回転自在に配備されている。
【００３１】
第二海苔網巻取ローラ８は、図１、図２図示のように、海苔網収容槽２内の下側で、前記長手方向における他方の端部２ｂに近い側に、前記長手方向に直交して、図２に１９ａ、１９ｂで示す方向に回転自在に配備されている。
【００３２】
第三吸液ローラ９は、海苔網収容槽２の前記長手方向における第一海苔網巻取ローラ７が配備されている位置と第二海苔網巻取ローラ８が配備されている位置との中間で、海苔網収容槽２の上部側に、前記長手方向に直交して、図２の矢印２２ａ、２２ｂの方向に回転自在に配備されている。
【００３３】
第一吸液ローラ３、第二吸液ローラ４、第三吸液ローラ９は、いずれも、海苔網１４が含んでいる水分を海苔網１４から給水する（＝吸い取る）ためのものである。そこで、第一吸液ローラ３、第二吸液ローラ４、第三吸液ローラ９は、いずれも、多孔質素材で構成することが好ましい。
【００３４】
例えば、図示の形態では、第一吸液ローラ３、第二吸液ローラ４、第三吸液ローラ９は、いずれも、スポンジ素材で構成している。
【００３５】
ここで、海苔網１４が含んでいる水分は、海中から引き揚げられてきた海苔網１４が図３（ａ）図示のように、海苔網収容槽２内に巻き取られる際には海水である。一方、海苔網１４を海中に展張するべく、海苔網１４が、図３（ｂ）図示のように、海苔網収容槽２から巻き出されていく際には、海苔網収容槽２内に収容されている酸液１３になる。
【００３６】
図示の実施形態では、第一絞りローラ５と、海苔網収容槽２内に配備されている第一ローラ１０とがベルト１２によって連結されており、第一ローラ１０の矢印１６方向への回転に伴って第一絞りローラ５が矢印１６の方向へ回転する。
【００３７】
同じく、図示の実施形態では、第二絞りローラ６と、海苔網収容槽２内に配備されている第二ローラ１１とがベルト１２によって連結されており、第二ローラ１１の矢印２０方向への回転に伴って第二絞りローラ６が矢印２０の方向へ回転する。
【００３８】
第一絞りローラ５と第二絞りローラ６は、それぞれ、その周面を、第一吸液ローラ３の周面、第二吸液ローラ４の周面に当接させて回転することで、第一吸液ローラ３、第二吸液ローラ４が海苔網１４（図３）から吸い取った海苔網１４が含んでいる水分を、第一吸液ローラ３、第二吸液ローラ４から搾り取る。
【００３９】
第一海苔網巻取ローラ７、第二海苔網巻取ローラ８は、海中から引き揚げられた海苔網１４を巻き取って、海苔網１４を海苔網収容槽２の内部に充填されている酸液１３内に浸漬させる。
【００４０】
図示の形態では、海中に展張されている海苔網１４を引き揚げる際に、例えば、海苔網１４の端部を第一海苔網巻取ローラ７に係止し、不図示の駆動機構によって、第一海苔網巻取ローラ７、第一ローラ１０を図２に矢印１８ａ、１６で示す方向に回転させる。これに応じて、第一絞りローラ５も図２に矢印１６で示す方向に回転する。海苔網１４は、図３（ａ）に矢印１７で示したように、海中から引き揚げられてきて第一海苔網巻取ローラ７に巻き取られていくが、この際、第一吸液ローラ３を図３（ａ）に矢印１５で示す方向に回転させつつ第一吸液ローラ３の周面に強く当接する。
【００４１】
そこで、海苔網１４に含まれている水分（海水）が第一吸液ローラ３に吸い取られる。
【００４２】
第一吸液ローラ３が吸い取った水分（海水）は、第一吸液ローラ３の下側で第一吸液ローラ３の周面に周面を当接させている第一絞りローラ５の存在によって、第一吸液ローラ３から搾り取られる。
【００４３】
こうして搾り取られた水分（海水）は、第一吸液ローラ３、第一絞りローラ５が、海苔網収容槽２の端部２ａの上端に配備されていることから、海苔網収容槽２の端部２ａの外側に落ちていく。そこで、海中から掬い上げられてきた海苔網１４に含まれていて、第一吸液ローラ３に吸い取られた水分（海水）が、海苔網収容槽２内に落ち込んで、海苔網収容槽２内に収容されている酸液を希釈するおそれを抑制することができる。
【００４４】
海苔網収容槽２内で酸処理を施した海苔網１４を海中に戻して展張する際には、酸処理後の海苔網１４を第一海苔網巻取ローラ７から引き出して、第三吸液ローラ９、第二吸液ローラ４に図３（ｂ）図示のように展張した上で、例えば、海苔網１４の端部を海中に設置されている掛止棒に係止し、海苔網酸処理装置１を当該掛止棒から離れる方向に移動させる。こうして、酸処理後の海苔網１４は、第一海苔網巻取ローラ７から、図３（ｂ）に、矢印２３で示したように巻き戻され、引き出されていく。
【００４５】
この際、海苔網１４は、第三吸液ローラ９を図３（ｂ）を矢印２２ａで示す方向に回転させつつ第三吸液ローラ９の周面に強く当接する。また、第二吸液ローラ４を図３（ｂ）に矢印１９で示す方向に回転させつつ第二吸液ローラ４の周面に強く当接する。
【００４６】
そこで、海苔網１４に含まれている水分（酸液）が第三吸液ローラ９、第二吸液ローラ４に吸い取られる。
【００４７】
第三吸液ローラ９に吸い取られた水分（酸液）は、海苔網収容槽２内の酸液１３に向けて滴下していく。
【００４８】
第三吸液ローラ９で吸い取りきれなかった水分（酸液）は、第二吸液ローラ４に吸い取られる。
【００４９】
第二吸液ローラ４が吸い取った水分（酸液）は、第二吸液ローラ４の下側で第二吸液ローラ４の周面に周面を当接させている第二絞りローラ６の存在によって、第二吸液ローラ４から搾り取られる。
【００５０】
こうして搾り取られた水分（酸液）は、第二吸液ローラ４、第二絞りローラ６が、海苔網収容槽２の端部２ｂの上端に配備されていることから、海苔網収容槽２の端部２ｂの内側に落ちていく。
【００５１】
そこで、酸処理後の海苔網１４に含まれていて、第三吸液ローラ９、第二吸液ローラ４に吸い取られた水分（酸液）が、海苔網収容槽２の外に出て行ってしまうおそれを抑制することができる。
【００５２】
この結果、海苔網１４に対して酸処理を行う前に、所定量の活性処理剤を溶解することで調製していた酸液１３の量や、その濃度、ｐＨなどが、酸処理の途中で大きく変動することを防止することができる。酸処理を行っている途中で、酸液１３が希釈化されたり、量が減少したり、その濃度、ｐＨに変動が生じたりすると、追加で活性処理剤を投入、溶解する、等の対応が必要になるので、活性処理剤の使用量が増えてしまう。
【００５３】
この実施形態によれば、上述したようにして、海苔網収容槽２内に準備していた酸液１３が海苔網に含まれている海水によって希釈化されたり、活性処理後の海苔網に含まれて出て行ってしまうことでその量が減少してしまうことを効果的に防止できる。
【００５４】
そこで、活性処理剤の使用量が増えてしまうこと効果的に防止できる。
【００５５】
上述した実施形態では、第一海苔網巻取ローラ７に海苔網１４を巻き取って酸処理し、酸処理後に、第一海苔網巻取ローラ７から巻き戻し、引き出して海中に展張する例で説明を行った。
【００５６】
上述した実施形態と同様にして、海中から引き揚げてきた海苔網１４から第二吸液ローラ４によって水分（海水）を吸い取りながら第二海苔網巻取ローラ８に海苔網１４を巻き取って酸処理し、酸処理後に、第二海苔網巻取ローラ８から巻き戻し、引き出して、第三吸液ローラ９、第一吸液ローラ３によって、酸処理後の海苔網１４から水分（酸液）を吸い取って、海中に海苔網１４を展張するようにすることができる。
【００５７】
また、海中から引き揚げてきた海苔網から第一吸液ローラ３によって水分（海水）を吸い取りながら第一海苔網巻取ローラ７に海苔網を巻き取り、引き続き、海中から引き揚げてきた海苔網から第二吸液ローラ４によって水分（海水）を吸い取りながら第二海苔網巻取ローラ８に海苔網を巻き取り、第一海苔網巻取ローラ７、第二海苔網巻取ローラ８にそれぞれ海苔網が巻き付けられている状態で酸液１３によって酸処理を行う。その後、上述したようにして、第一海苔網巻取ローラ７から海苔網を巻き戻し、引き出して、第三吸液ローラ９、第二吸液ローラ４によって、酸処理後の海苔網から水分（酸液）を吸い取って、海中に海苔網を展張する、あるいは、第二海苔網巻取ローラ８から海苔網を巻き戻し、引き出して第三吸液ローラ９、第一吸液ローラ３によって、酸処理後の海苔網から水分（酸液）を吸い取って、海中に海苔網を展張する、等することもできる。
【００５８】
［海苔網酸処理船の実施形態１］
海苔網酸処理船の一実施形態は、海苔網が海中に展張されている海を移動しながら前記海苔網を掬い上げ、掬い上げた前記海苔網を船上に配備されている酸処理装置で酸処理する海苔網の酸処理船である。
【００５９】
例えば、海中に展張されている海苔網の長手方向に進行し、海苔網を掬い上げ、掬い上げた海苔網を船上に配備されている酸処理装置で酸処理する海苔網の酸処理船である。
【００６０】
ここで、前記酸処理装置として、図１〜図３を用いて上述した実施の形態からなる海苔網酸処理装置１が採用されているものである。
【００６１】
この実施形態では、第一海苔網巻取ローラ７、第二海苔網巻取ローラ８に海中から引き揚げてきた海苔網を巻き取る際及び、酸処理後の海苔網を第一海苔網巻取ローラ７、第二海苔網巻取ローラ８から巻き戻し、引き出して海中に展張する際に、巻き取り、巻き戻しに好適な方向へ海苔網酸処理船を適宜に移動させる、等して、海苔網が海中に展張されている海を海苔網酸処理船が移動する。
【００６２】
図１〜図３を用いて上述した実施の形態からなる海苔網酸処理装置１が海苔網酸処理船に採用されていることにより、海苔網収容槽２内に準備していた酸液１３が海苔網に含まれている海水によって希釈化されたり、活性処理後の海苔網に含まれて出て行ってしまうことでその量が減少してしまうことを効果的に防止でき、活性処理剤の使用量が増えてしまうこと効果的に防止できる。
【００６３】
［海苔網酸処理船の実施形態２］
海苔網酸処理船の他の実施形態は、海中に展張されている海苔網の長手方向に進行し、海苔網を掬い上げ、掬い上げた海苔網を船上に配備されている酸処理装置で酸処理する海苔網の酸処理船である。
【００６４】
ここで、前記酸処理装置は、上述した海苔網酸処理装置の実施形態で説明した、海苔網を収容し、収容した海苔網を酸液で酸処理する海苔網収容槽を備えている。
【００６５】
そして、この海苔網酸処理船の実施形態２の海苔網酸処理船は、次のような第一水分除去手段、第二水分除去手段の中のいずれか一方または双方を備えている。
【００６６】
第一水分除去手段は、前記酸処理船が進行する方向において前記海苔網収容槽の前方側に配備されていて、前記海苔網から前記海苔網が含んでいる水分を除去する働きをするものである。
【００６７】
第二水分除去手段は、前記酸処理船が進行する方向において前記海苔網収容槽の後方側に配備されていて、前記海苔網から前記海苔網が含んでいる水分を除去する働きをするものである。
【００６８】
この実施形態では、海苔網酸処理船は、海中に展張されている海苔網の長手方向に進行し、海苔網を掬い上げ、掬い上げた海苔網を船上に配備されている酸処理装置で酸処理する。
【００６９】
そこで、酸処理船が進行する方向において海苔網収容槽の前方側に配備されている第一水分除去手段が、海苔網が含んでいる水分（すなわち、海水）を海苔網から除去することにより、海中から掬い上げられてきた海苔網に含まれている水分（すなわち、海水）が、海苔網収容槽内に落ち込んで、海苔網収容槽内に収容されている酸液を希釈するおそれを抑制することができる。
【００７０】
また、酸処理船が進行する方向において海苔網収容槽の後方側に配備されている第二水分除去手段が、海苔網が含んでいる水分（すなわち、酸液）を海苔網から除去する、より好ましくは、除去して、海苔網収容槽内に戻すことにより、海苔網の酸処理を行っている海苔網収容槽に収容されている酸液が酸処理後の海苔網に含まれた状態で海苔網収容槽から出ていくおそれを抑制することができる。
【００７１】
この結果、海苔網に対して酸処理を行う前に、所定量の活性処理剤を溶解することで調製していた酸液の量や、その濃度、ｐＨなどが、酸処理の途中で大きく変動することを防止することができる。
【００７２】
酸処理を行っている途中で、酸液が希釈化されたり、量が減少したり、その濃度、ｐＨに変動が生じたりすると、追加で活性処理剤を投入、溶解する、等の対応が必要になるので、活性処理剤の使用量が増えてしまう。
【００７３】
この実施形態によれば、上述したようにして、海苔網収容槽内に準備していた酸液が海苔網に含まれている海水によって希釈化されたり、活性処理後の海苔網に含まれて出て行ってしまうことでその量が減少してしまうことを効果的に防止でき、活性処理剤の使用量が増えてしまうこと効果的に防止できる。
【００７４】
上述した第一の水分除去手段としては、海中から引き揚げてきた海苔網に対して、例えば、圧縮空気のような空気などを強制的に吹き付けて、海苔網が含んでいる水分（すなわち、海水）を海苔網から除去する機構を採用することができる。
【００７５】
また、上述した海苔網の酸処理装置の実施形態で説明した、スポンジなどの多孔質体からなり、海中から引き揚げてきた海苔網が海苔網収容槽に向かって移動する方向に直交して回転自在に配備されている吸液ローラと、当該吸液ローラの下側で周面を吸液ローラの周面に当接させて回転する絞りローラとで上述した第一の水分除去手段を構成することもできる。
【００７６】
なお、第一水分除去手段は、海苔網酸処理船が進行する方向において海苔網収容槽の前方側に配備されるものであるが、第一水分除去手段の働きによって除去された水分（海水）が海苔網収容槽内に入ってしまうことがないような位置に配備されることが望ましい。
【００７７】
そこで、例えば、海苔網酸処理船が進行する方向で海苔網収容槽が配置されている位置よりも前方に位置している甲板室（操舵室）の後方側の上端に第一水分除去手段を配備する、等の形態にすることができる。
【００７８】
上述した第二の水分除去手段としては、海苔網収容槽において酸処理を受けた後の海苔網に対して、例えば、圧縮空気のような空気などを強制的に吹き付けて、海苔網が含んでいる水分（すなわち、酸液）を海苔網から除去する機構を採用することができる。
【００７９】
また、上述した海苔網の酸処理装置の実施形態で説明した、スポンジなどの多孔質体からなり、海苔網収容槽から海苔網酸処理船の後方側に向かって酸処理後の海苔網が移動する方向に直交して回転自在に配備されている吸液ローラと、当該吸液ローラの下側で周面を吸液ローラの周面に当接させて回転する絞りローラとで上述した第二の水分除去手段を構成することもできる。
【００８０】
なお、第二水分除去手段は、海苔網酸処理船が進行する方向において海苔網収容槽の後方側に配備されるものであるが、海苔網の酸処理を行っている海苔網収容槽に収容されている酸液が酸処理後の海苔網に含まれた状態で海苔網収容槽から出ていくおそれを抑制する観点から、第二水分除去手段の働きによって除去された水分（酸液）が、海苔網収容槽内に戻ることができる位置に第二水分除去手段を配備することが望ましい。
【００８１】
そこで、例えば、海苔網酸処理船が進行する方向における海苔網収容槽の後方側の上端に第二水分除去手段を配備し、圧縮空気のような空気などが強制的に吹き付けられることで海苔網から除去される水分（すなわち、酸液）が、直接、海苔網収容槽に戻る、あるいは、吸液ローラによって海苔網から吸い取られることで除去される水分（すなわち、酸液）が、引き続き、絞りローラによって吸液ローラから搾り取られて、直接、海苔網収容槽に戻ることができる位置に第二水分除去手段を配備することが望ましい。
【００８２】
以下、海苔網酸処理船の実施形態２に含まれるいくつかの実施形態について添付図面を参照して説明する。いずれも、海中に展張されている海苔網の長手方向に進行し、海苔網を掬い上げ、掬い上げた海苔網を船上に配備されている酸処理装置（海苔網酸処理装置）で酸処理する海苔網酸処理船の実施形態であり、上述した海苔網酸処理装置１の構成と共通する構成については同じ符号を付し、その説明を省略する。
【００８３】
（海苔網酸処理船の実施形態２−（１））
図４（ａ）図示の海苔網酸処理船２３ａは、海苔網酸処理装置を構成する海苔網収容槽２と、第一水分除去手段２５と、海苔網案内部材２６と、を備えている。
【００８４】
海苔網酸処理装置を構成する海苔網収容槽２は、海苔網酸処理船２３ａの船体２４上に配備されている。
【００８５】
第一水分除去手段２５は、海苔網酸処理船２３ａが進行する方向において海苔網収容槽２の前方側に配備されている。図示の実施形態では、海苔網酸処理船２３ａが進行する方向で海苔網酸処理船２３ａが配置されている位置よりも前方に位置している甲板室（操舵室）の後方側の上端に第一水分除去手段２５が配備されている。
【００８６】
第一水分除去手段２６は、海苔網が含んでいる水分を除去するためのものである。
【００８７】
海苔網案内部材２６は、船体２４の前方（図４の左側）から海面に向けて湾曲しながら伸びている。海中に展張されている海苔網の長手方向に海苔網酸処理船２３ａが進行するにつれて、海苔網は、海苔網案内部材２６によって案内されて船体２４掬い上げられ、第一水分除去手段２５が配備されている位置を経由して、海苔網酸処理装置を構成する海苔網収容槽２にまで移送される。
【００８８】
図示の形態では、第一水分除去手段２５は、海苔網酸処理船２３ａが進行する方向において海苔網収容槽２の前方側である甲板室（操舵室）の後方側の上端に配備されている空気噴出装置、例えば、圧縮空気噴出装置になっている。
【００８９】
海苔網酸処理船２３ａが、海中に展張されている海苔網の長手方向に進行し、海苔網を掬い上げ、掬い上げた海苔網を海苔網収容槽２に収容して酸処理を行う前に、海苔網収容槽２へ送られる海苔網に向けて空気、例えば、圧縮空気を吹き付けて、海苔網が含んでいる海水を海苔網から除去するものである。
【００９０】
海苔網酸処理船２３ａが海中に展張されている海苔網１４の長手方向（矢印２７の方向）へ進行し、海苔網案内部材２６によって海苔網１４が掬い上げられる（図４（ｂ））。
【００９１】
海苔網処理船２３ａが海苔網１４を掬い上げながら矢印２７の方向へ進行すると、海苔網１４は海苔網酸処理船２３ａの進行方向とは反対方向（矢印２８の方向）へ相対的に移動して海苔網収容槽２へ収容される。
【００９２】
海苔網１４が海苔網収容槽２へ収容される前に、空気、例えば、圧縮空気を噴出する第一水分除去手段２６から圧縮空気が、海苔網収容槽２へ送られる海苔網１４に向けて吹き付けられる。これによって海苔網１４が含んでいる水分（すなわち、海水）が海苔網１４から除去される。
【００９３】
そこで、海苔網１４に含まれている水分（海水）が、海苔網収容槽２の内部に充填されている酸液１３内に混入して酸液１３の濃度が希釈化され、ｐＨが変化することなどを防ぐことができる。
【００９４】
海苔網収容槽２へ収容された海苔網１４は、海苔網収容槽２の内部に存在している酸液１３に浸漬され、海苔網１４の酸処理が行われる。
【００９５】
酸処理が完了した海苔網１４は引き続き海苔網酸処理船２３ａの進行方向（矢印２７の方向）とは反対方向（矢印２８の方向）へ相対的に移動して再び海中に展張される。
【００９６】
（海苔網酸処理船の実施形態２−（２））
図５図示の海苔網酸処理船２３ｂは、図４に図示し、上述した海苔網酸処理船の構成に追加して、海苔網酸処理船が進行する方向において海苔網収容槽２の後方側である海苔網収容槽２の後方側の上端に第二水分除去手段２９が配備されているものである。
【００９７】
第二水分除去手段２９としては、図４に図示し、上述した海苔網酸処理船２３ａに採用されていたものと同様に、圧縮空気噴出装置が採用されている。
【００９８】
海苔網収容槽２において酸液で酸処理された海苔網が海苔網収容槽２から出て海苔網酸処理船２３ａの後方側に向かって移動しているときに、海苔網収容槽２の後方側の上端に配備されている圧縮空気噴出装置からなる第二水分除去手段２９が圧縮空気を吹き付け、酸処理後の海苔網に含まれている水分（酸液）を除去する。除去された水分（酸液）は、直ちに、海苔網収容槽２に戻ることになる。
【００９９】
図５図示の実施形態によれば、図４図示の実施形態のようにして、海中から掬い上げてきた海苔網１４に含まれている水分（海水）が、海苔網収容槽２の内部に充填されている酸液内に混入して酸液の濃度が希釈化され、ｐＨが変化することなどを防止できることに追加して、海苔網収容槽２から出ていく酸処理後の海苔網に酸液が含まれて海苔網収容槽２から出ていくことを防止できる。
【０１００】
そこで、海苔網収容槽内に準備していた酸液が海苔網に含まれている海水によって希釈化されたり、活性処理後の海苔網に含まれて出て行ってしまうことでその量が減少してしまうことを効果的に防止でき、活性処理剤の使用量が増えてしまうこと効果的に防止できる。
【０１０１】
（海苔網酸処理船の実施形態２−（３））
図６図示の海苔網酸処理船２３ｃは、図５の実施形態で説明した、海苔網酸処理船が進行する方向において海苔網収容槽２の後方側である海苔網収容槽２の後方側の上端に第二水分除去手段が配備されているもので、図４図示の実施形態で説明した、海苔網酸処理船が進行する方向において海苔網収容槽２の前方側に配備されていた第一水分除去手段２５が配備されていない構成のものである。
【０１０２】
海苔網収容槽２から出ていく酸処理後の海苔網に酸液が含まれて海苔網収容槽２から出ていくことの防止に主眼を置き、海苔網収容槽内に準備していた酸液が活性処理後の海苔網に含まれて出て行ってしまうことでその量が減少してしまうことを防止することを目的にしている。
【０１０３】
（海苔網酸処理船の実施形態２−（４））
図７（ａ）図示の海苔網酸処理船２３ｄは、海苔網収容槽２と、第一水分除去手段２５と、海苔網案内部材２６と、第二水分除去手段２９を備えている。
【０１０４】
第二水分除去手段２９は、海苔網酸処理船２３ｄが進行する方向において海苔網収容槽２の後方側に配備されている。
【０１０５】
第二水分除去手段２９は、前記海苔網が含んでいる前記水分を除去するためのものであり、吸液ローラ３０と、絞りローラ３１と、を備えている。
【０１０６】
吸液ローラ３０は、海苔網酸処理船２３ｄの船体２４の上部に海苔網酸処理船２３ｄが進行する方向に直交する位置で回転自在に配備されている。
【０１０７】
吸液ローラ３０は、海苔網が含んでいる水分を海苔網から吸い取るためのものである。そのため、吸液ローラ３０は多孔質素材で構成することが好ましい。
【０１０８】
図示の形態では、吸液ローラ３０はスポンジ素材からなり、酸処理後の海苔網を再び海中に展張する際に、スポンジ素材からなる吸液ローラ３０で海苔網が含んでいる水分（酸液）を海苔網から吸い取る構成となっている。
【０１０９】
絞りローラ３１は、吸液ローラ３０の下側で、周面を吸液ローラ３０の周面に当接させて回転自在に配備されている。
【０１１０】
絞りローラ３１は、吸液ローラ３０が吸い取った海苔網が含んでいる水分（酸液）を絞るためのものである。
【０１１１】
図示の形態では、酸処理後の海苔網を再び海中に展張する際に、吸液ローラ３０が吸い取った海苔網が含んでいる水分（酸液）を、絞りローラ３１が吸液ローラ３０から絞りとる構成となっている。
【０１１２】
海苔網酸処理船２３ｂが海中に展張されている海苔網１４の長手方向（矢印２７の方向）へ進行し、海苔網案内部材２６によって海苔網１４が掬い上げられる（図７（ｂ））。
【０１１３】
海苔網処理船２３ｂが海苔網１４を掬い上げながら矢印２７の方向へ進行すると、海苔網１４は海苔網酸処理船２３ｂの進行方向とは反対方向（矢印２８の方向）へ相対的に移動して海苔網収容槽２へ収容される。
【０１１４】
海苔網１４が海苔網収容槽２へ収容される前に、空気、例えば圧縮空気を噴出する空気噴出装置からなる第一水分除去手段２５から圧縮空気が海苔網収容槽２へ送られる海苔網１４に向けて吹き付けられ、海苔網１４が含んでいる水分（海水）が海苔網１４から除去される。
【０１１５】
そこで、海苔網１４に付着している水分（海水）が海苔網収容槽２の内部に充填されている酸液１３内に混入して酸液１３の濃度が希釈し、ｐＨが変化することを防ぐことができる。
【０１１６】
海苔網収容槽２へ収容された海苔網１４は、海苔網収容槽２の内部に充填されている酸液１３に浸漬され、酸処理される。
【０１１７】
酸処理が完了した海苔網１４は引き続き海苔網酸処理船２３ｂの進行方向（矢印２７の方向）とは反対方向（矢印２８の方向）へ相対的に移動して再び海中に展張される。
【０１１８】
この際、吸液ローラ３０の周面に接触している海苔網１４に付着している水分（酸液）が吸液ローラ３０に吸い取られる。
【０１１９】
吸液ローラ３０は海苔網１４の矢印２８への移動に伴って矢印３２の方向へ回転し、吸液ローラ３０の周面に当接している絞りローラ３１は回転しながら、吸液ローラ３０が吸い取った海苔網１４に付着している水分（酸液）を絞りとる。
【０１２０】
こうして搾り取られた水分（酸液）は再び海苔網収容槽２に戻る。
【０１２１】
そこで、海苔網収容槽２から出ていく酸処理後の海苔網に酸液が含まれて海苔網収容槽２から出ていくことを防止できる。
【０１２２】
これによって、海苔網収容槽内に準備していた酸液が海苔網に含まれている海水によって希釈化されたり、活性処理後の海苔網に含まれて出て行ってしまうことでその量が減少してしまうことを効果的に防止でき、活性処理剤の使用量が増えてしまうこと効果的に防止できる。
【０１２３】
（海苔網酸処理船の実施形態２−（５））
図８（ａ）、（ｂ）図示の海苔網酸処理船２３ｅは、第一水分除去手段２５と、第二水分除去手段２９のいずれとも、吸液ローラ３０と、絞りローラ３１とから構成される構造にしたものである。
【０１２４】
それぞれの機能は上述したものと同一であり、海苔網収容槽内に準備していた酸液が海苔網に含まれている海水によって希釈化されたり、活性処理後の海苔網に含まれて出て行ってしまうことでその量が減少してしまうことを効果的に防止でき、活性処理剤の使用量が増えてしまうこと効果的に防止できるものである。
【０１２５】
（海苔網酸処理船の実施形態２−（６））
図９図示の海苔網酸処理船２３ｆは、図８図示の実施形態において、第二水分除去手段２９を、図４図示の実施形態における第一水分除去手段２５と同じく、圧縮空気を吹き付けて海苔網から水分を除去する機構にしたものである。
【０１２６】
それぞれの機能は上述したものと同一であり、海苔網収容槽内に準備していた酸液が海苔網に含まれている海水によって希釈化されたり、活性処理後の海苔網に含まれて出て行ってしまうことでその量が減少してしまうことを効果的に防止でき、活性処理剤の使用量が増えてしまうこと効果的に防止できるものである。
【０１２７】
（海苔網酸処理船の実施形態２−（７））
図１０図示の海苔網酸処理船２３ｇは、図８図示の実施形態において、第二水分除去手段２９を採用していない構成にしたものである。
【０１２８】
吸液ローラ３０と、絞りローラ３１とから構成される第一水分除去手段２５によって、海中から掬い上げられてきた海苔網から水分（海水）を除去し、海苔網収容槽内に準備していた酸液が海苔網に含まれている海水によって希釈化されることを防止する点に主眼を置いたものである。
【０１２９】
以上、添付図面を参照して本発明の好ましい実施形態を参照したが、本発明は上述した実施形態に限られず、特許請求の範囲の記載から把握される技術的範囲において種々に変更可能である。
【０１３０】
例えば、海苔網酸処理船の実施形態２において採用されている第一水分除去手段、第二水分除去手段は、上述したように、水分除去処理を施す海苔網に対して圧縮空気のようなものを吹き付けることで海苔網に含まれている水分を除去する機構、吸液ローラと絞りローラとで構成して吸液ローラで水分除去処理を施す海苔網から水分吸収して水分除去し、吸液ローラに吸い取られた水分を絞りローラで搾り取る機構に限られない。
【０１３１】
海中から引き揚げてきた海苔網に含まれている水分（海水）を海苔網から除去して、その除去した水分（海水）が、海苔網酸処理を行っている海苔網収容槽内に入らないようにする、酸処理を受けて海苔網収容槽から引き出されてきた海苔網含まれている水分（酸液）を海苔網から除去して、その除去した水分（酸液）を、海苔網酸処理を行っている海苔網収容槽内に戻すようにすることを実現できる機構であれば、種々のものを採用することができる。
【符号の説明】
【０１３２】
１  海苔網酸処理装置
２  海苔網収容槽
３  第一吸液ローラ
４  第二吸液ローラ
５  第一絞りローラ
６  第二絞りローラ
７  第一海苔網巻取ローラ
８  第二海苔網巻取ローラ
９  第三吸液ローラ
１０  第一ローラ
１１  第二ローラ
１２  ベルト
１３  酸液
１４  海苔網
２３ａ、〜、２３ｇ  海苔網の酸処理船
２４  船体
２５  第一水分除去手段
２６  海苔網案内部材
２９  第二水分除去手段
３０  吸液ローラ
３１  絞りローラ
【図１】
2018201476.tif 000003
【図２】
2018201476.tif 000004
【図３】
2018201476.tif 000005
【図４】
2018201476.tif 000006
【図５】
2018201476.tif 000007
【図６】
2018201476.tif 000008
【図７】
2018201476.tif 000009
【図８】
2018201476.tif 000010
【図９】
2018201476.tif 000011
【図１０】
2018201476.tif 000012